【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
基盤上に敷設される下部枠と、該下部枠上に接続部を介して接続される上部枠とからなる植物保護資材において、
下部枠が、凸状に立上ると共に所定の間隔を隔てて相互に連結された複数の下部踏圧部と、該下部踏圧部に囲まれまたは下部踏圧部に設けられた孔部からなる下部透孔部とを有しており、
上部枠が、所定の間隔を隔てて相互に連結された複数の上部踏圧部と、該上部踏圧部に囲まれまたは上部踏圧部に設けられた孔部からなる上部透孔部とを有しており、
前記下部枠に下部枠相互を連結する連結部が設けられ、前記上部枠には上部枠相互を連結する連結部が設けられず、
前記上部枠を前記下部枠と接続した際に、前記上部透孔部の少なくとも一部が前記下部透孔部と上下に連通して貫通しており、
前記上部踏圧部の少なくとも一部が前記下部踏圧部と対応する位置に配置されてなることを特徴とする植物保護資材。
【請求項２】
上部踏圧部には、柔らかい支持部と硬い支持部とが設けられており、
上部枠と下部枠が上下に接続された際に、柔らかい支持部は直接に下部踏圧部上に接し、硬い支持部は下部踏圧部の頂部に設けた溝と隙間を隔てるように設けられており、
大きな荷重がかかると前記硬い支持部が前記下部踏圧部頂部に設けた溝に嵌合するように設定されていることを特徴とする請求項１に記載の植物保護資材。
【請求項３】
上部踏圧部が、上端が閉塞された袋状あるいは筒状からなり、踏圧により収縮されて内部の空気を吐出可能としており、
上部透孔部が、前記上部踏圧部で囲まれた孔部からなることを特徴とする請求項１に記載の植物保護資材。
【請求項４】
基盤上に下部枠を介して、または下部枠を設けずに直接に敷設される中間枠と上部枠からなる植物保護資材において、
中間枠が、格子状からなって、格子の交点上に突状部を設けており、
上部枠が、所定の間隔を隔てて相互に連結された上部踏圧部と、該上部踏圧部に囲まれた孔部からなる上部透孔部とを有しており、
前記上部踏圧部は互いに連結されると共に、上端が閉塞された袋状あるいは筒状からなって、踏圧により収縮されて内部の空気を吐出可能としており、
前記中間枠の突状部が、上部枠の袋状あるいは筒状の上部踏圧部内に空気の通る隙間を有するように挿入されてなることを特徴とする植物保護資材。
【手続補正２】
【補正対象書類名】明細書
【補正対象項目名】全文
【補正方法】変更
【補正の内容】
【発明の詳細な説明】
【発明の名称】植物保護資材
【技術分野】
【０００１】
本発明は、芝生などの植物を保護する植物保護資材の改良に関する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立入る人の、あるいは車の踏圧から植物を保護するための図１２（ａ）に示すような踏圧部２５と透孔部２６からなる植物保護資材２１（特開平２−１４５１３７号、特開平４−７５５４１号）などが各種提案され使用されている。
さらにこれら芝生保護盤を用いた際に人の踏圧を和らげるため、芝生保護盤上に更に平坦な上部枠３２を設置し、上部枠３２で人の足との接触部の面積を大きくし踏圧部３５からの反力を軽減する図１２（ｂ）に示すような植物保護資材３１が特開平５−５６７２４号に開示されている。
上記芝生保護資材３１の広範囲に渡る施工においては、下部枠３３を敷設した後に上部枠３２をその上に敷設する際、路盤面の不均一性が残るため上部枠３２を敷設する際上部枠３２に設けた連結部では吸収しきれない場合がある。
芝生の保護は芝生保護資材による保護以外に、施肥、日当たり、風の通り、水遣りなど通常の芝生保護のための手入れが必要であり、現状の芝生保護資材に風の通りなど空気の供給を行う提案はない。
【０００３】
【特許文献１】特開平２−１４５１３７号公報
【特許文献２】特開平４−７５５４１号公報
【特許文献３】特開平５−５６７２４号公報
【発明の開示】
【発明が解決しようとする課題】
【０００４】
本発明は、芝生保護資材の施工性の向上、踏圧の軽減、上を歩く人の踏圧により芝に空気を供給可能とする芝生保護資材の提供にある。
【課題を解決するための手段】
【０００５】
上記課題を解決するために、請求項１の発明では、
基盤上に敷設される下部枠と、該下部枠上に接続部を介して接続される上部枠とからなる植物保護資材において、
下部枠が、凸状に立上ると共に所定の間隔を隔てて相互に連結された複数の下部踏圧部と、該下部踏圧部に囲まれまたは下部踏圧部に設けられた孔部からなる下部透孔部とを有しており、
上部枠が、所定の間隔を隔てて相互に連結された複数の上部踏圧部と、該上部踏圧部に囲まれまたは上部踏圧部に設けられた孔部からなる上部透孔部とを有しており、
前記下部枠に下部枠相互を連結する連結部が設けられ、前記上部枠には上部枠相互を連結する連結部が設けられず、
前記上部枠を前記下部枠と接続した際に、前記上部透孔部の少なくとも一部が前記下部透孔部と上下に連通して貫通しており、
前記上部踏圧部の少なくとも一部が前記下部踏圧部と対応する位置に配置されてなることを特徴とする。
また、請求項２の発明では、
前記上部踏圧部には、柔らかい支持部と硬い支持部とが設けられており、
上部枠と下部枠が上下に接続された際に、柔らかい支持部は直接に下部踏圧部上に接し、硬い支持部は下部踏圧部の頂部に設けた溝と隙間を隔てるように設けられており、
大きな荷重がかかると前記硬い支持部が前記下部踏圧部頂部に設けた溝に嵌合するように設定されていることを特徴とする。
更に、請求項３の発明では、
前記上部踏圧部が、上端が閉塞された袋状あるいは筒状からなり、踏圧により収縮されて内部の空気を吐出可能としており、
上部透孔部が、前記上部踏圧部で囲まれた孔部からなることを特徴とする。
また、請求項４の発明では、
基盤上に下部枠を介して、または下部枠を設けずに直接に敷設される中間枠と上部枠からなる植物保護資材において、
中間枠が、格子状からなって、格子の交点上に突状部を設けており、
上部枠が、所定の間隔を隔てて相互に連結された上部踏圧部と、該上部踏圧部に囲まれた孔部からなる上部透孔部とを有しており、
前記上部踏圧部は互いに連結されると共に、上端が閉塞された袋状あるいは筒状からなって、踏圧により収縮されて内部の空気を吐出可能としており、
前記中間枠の突状部が、上部枠の袋状あるいは筒状の上部踏圧部内に空気の通る隙間を有するように挿入されてなることを特徴とする。
【発明の効果】
【０００６】
本発明は、以下の効果を奏することができる。
（１）下部枠と上部枠の上下の接続及び下部枠同士の連結を可能とし、上部枠相互間は連結せず自由としたため、広範囲の敷設時には路盤の歪が吸収され施工が簡単になる。
また上部枠に連結部を付与しないことで上部枠を敷き設する際上部枠の方向性を考慮する必要がなくなるため施工性が向上する。
（２）上部踏圧部から硬さを変えた支持部が垂下し、上部枠と下部枠が接続されるとき、柔らかい支持部は直接下部踏圧部上に接し、硬い支持部は隙間を隔てるよう設けたため、人の踏圧は柔らかい支持部で受け、踏圧による反力を軽減すると共に、車などの踏圧は硬い支持部で受けるようにした。
（３）上部枠の踏圧部を上端閉鎖の袋状としたため踏圧により収縮し内部の空気が下部枠に向かって放出される。そのため、芝の生育に対し好条件を与える。
（４）人の踏圧が主たる踏圧となる場所では下部枠を省略するほうがより踏圧に対する反力を軽減することができる。
【発明を実施するための最良の形態】
【０００７】
以下に本発明の植物保護資材の好適な実施例について図面を参照しながら説明する。
【実施例１】
【０００８】
図１は、実施例１の植物保護資材を示す概念図である。
図１（ａ）は、上部枠の平面および断面、図１（ｂ）は、下部枠の平面および断面、図１（ｃ）は、上部枠と下部枠を接続した状態の断面を示す図である。
図１（ａ）に示した上部枠２は、平坦状の梁部９で連結１ｓした大小の筒部５Ａ、５Ｂが上部踏圧部５を形成し、上部踏圧部５内部および上部踏圧部５と梁部９で囲まれた領域が上部透孔部６を形成する。
筒部は雨水が溜まらないよう底部に小孔を設けておく。
また、上部枠２の上部踏圧部５Ａ、５Ｂの下部と下部枠３の下部踏圧部７の頂部を継合する一対の接続部１０Ａ、１０Ｂが設けられている。
その接続部１０Ａ、１０Ｂを用いて図１（ｃ）に示すように互いに上部枠２と下部枠３が接続できる。
【０００９】
図１（ｂ）に示した下部枠３は、筒状あるいは棒状に立ち上がる２種類の下部踏圧部７を下部梁部９’で接続し、下部踏圧部７と下部梁部９’で囲まれる孔部領域が下部透孔部８を形成し、雨水が浸透すると同時に客土して芝などが育つ領域となっている。
下部踏圧部７の一部、図では一列置きに上部枠２の上部踏圧部５と接続するための接続部１０Ｂが設けられている。
接続部の位置および接続方法も既存の接続方法のうちから適宜選択することができる。
【００１０】
下部枠３の側面底部には下部枠３、３・・同士を連結するための一対の連結部１１Ａ、１１Ｂが設けられている。
図１（ｂ）に示した連結部１１ａ、１１ｂは、下部踏圧部７底部から突出する平板でその先端に舌部が平板端部から側面上方に向かうように設けられたオス継手１１ａと、側面下部に設けられたオス継手１１ａ挿入用の孔であるメス継手１１ｂからなる。
オス継手１１ａがメス継手１１ｂの孔部に挿入される時、舌部が押され平らになりメス継手１１ｂ内部の空間で再び元の状態に立ち上がるようになっている。  連結部の位置および連結方法も既存の連結方法のうちから適宜選択することができる。
【実施例２】
【００１１】
図２は、実施例２の植物保護資材１を示す概念図である。
図２（ａ）は、上部枠２の平面および断面、図２（ｂ）は、下部枠３の平面および断面、図２（ｃ）は、上部枠２と下部枠３を接続した状態の断面を示す図である。
図２（ａ）に示した上部枠２は、平坦な格子状を呈し、格子の交点が上部踏圧部５を形成し、格子の内部が上部透孔部６を形成する。
また上部枠２の上部踏圧部５には下部枠３の下部踏圧部７の頂部の接続部１０Ｂに継合する他方の接続部１０Ａが設けられている。
その接続部１０Ａ、１０Ｂを用いて、図２（ｃ）に示すように上部枠２と下部枠３を互いに接続できる。
図２（ｂ）に示した下部枠３は、筒状あるいは棒状に立ち上がる下部踏圧部７を下部梁部９’で接続し、下部踏圧部７と下部梁部９’で囲まれる孔部領域が下部透孔部８を形成し、雨水が浸透すると同時に客土して芝などが育つ領域となっている。
【００１２】
また、下部枠３の側面底部には下部枠３同士を連結するため、雄継手１１ａと雌継手１１ｂからなる連結部が設けられている。
図に示した連結部は、相隣接する２辺の側部に設けられた平面視凸状の雄継手１１ａと他の相接する側部に設けられた平面視凹状の雌継手１１ｂからなる。
連結部の位置および連結方法も既存の連結方法のうちから適宜選択することができることは前記実施例１と同様である。
【実施例３】
【００１３】
図３は、植物保護資材１の実施例３を示す概念図である。
図３（ａ）は、上部枠２の平面および断面、図３（ｂ）は、下部枠３の平面および断面。図３（ｃ）は、下部枠３と上部枠２を接続した状態の断面を示す図である。
図３（ａ）に示したように、上部枠２は筒型の上部踏圧部５が梁部９で連結されており、筒部の上壁が上部踏圧部５となり、筒内が上部透孔部６となる。
踏圧からの反力を軽減するため筒部の上部は透水用の孔部を残して塞いでもよい。
上部踏圧部５の下部は、下部踏圧部７の筒内に挿入可能とされると共に下部枠３の一方の接続部１０Ｂに上部枠２を接続するための他方の接続部としての返し１０Ａが設けられている。
なお、上部枠２同士を連結する連結部は設けられていない。
下部枠３は、図３（ｂ）に示すように、正方形の区画枠体で各区画の区画壁が下部踏圧部７を形成し、区画内が下部透孔部８を形成する。
下部枠３の側面底部には下部枠３同士を連結するための継手としてオス継手１１ａとメス継手１１ｂが設けられている。
図に示した連結部は、上述した連結部と同じであるが特にこの連結方法に限るものではなく既存の連結方法を選択することができる。
【００１４】
図１、図３に示した実施例１および３の植物保護資材１では、上部踏圧部５と下部踏圧部７および上部透孔部６と下部透孔部８が一対一に対応しているが、図２に示した実施例２の植物保護資材１では上部踏圧部５と下部踏圧部７は一対一には対応していない。
上部踏圧部５の一部は土壌により支持されるため下部踏圧部７上に存在しなくてもよい。
このとき、下部踏圧部７上に存在しない上部踏圧部５の底部を土壌面との距離が保たれるように高く、即ち、上部踏圧部５の厚みを下部踏圧部７上に存在する上部踏圧部５より減じておくこともできる。
こうすることで芝生保護資材１を用いて施工する際、下部枠３を敷設し、土壌を下部枠３内の下部透孔部８内に充填し、転圧してから上部枠２を接続するが、上部踏圧部５の下に隙間があるため転圧を省略あるいは簡略化することができる。
【００１５】
図１ないし図３に示した植物保護資材１の上部枠２をゴム、エラストマーなどの弾性のある物質で形成することができる。
材質を弾性体に変えることにより、上部踏圧部５より人の足にかかる反力が軽減されるため、子供たちが運動する校庭などの芝生保護に優れた効果を発揮する。
【実施例４】
【００１６】
図４は、実施例４の植物保護資材１の踏圧部の概念図である。
図４（ａ）は上部踏圧部の要部を示す平面および断面、図４（ｂ）は下部踏圧部の要部を示す平面および断面、図４（ｃ）は上部踏圧部を下部踏圧部に接続した状態の要部の断面を示す図である。
前記実施例１、２と同様に、上部枠２は上部踏圧部５を梁部９で連結したものであり、下部枠３は下部踏圧部７を下部梁部９’で連結したものであるため、要部の踏圧部の図で説明する。
なお、上部枠２と下部枠３との接続、下部枠３同士の連結構造、上部枠２間には連結部のないことなど前記実施例１〜３と同様である。
【００１７】
図示したように上部踏圧部５は筒状であり、筒状部の内部に平面視十字形の硬い支持部１３と柔らかい支持部１２とが設けられている。
図４（ａ）では、柔らかい支持部１２は硬い支持部１３の側面に設けられているが、独立に設けてもよい。
柔らかい支持部１２と硬い支持部１３は、例えば同質樹脂製でその厚みを変えることで実現できる。
硬い支持部１３は下部踏圧部７の頂部７ａに設けた溝７Ａに嵌るようになっている。
柔らかい支持部１２は下部踏圧部７の頂部７ａに直に接するように設けられている。
【００１８】
また上部踏圧部５を下部踏圧部７の接続部１０Ｂに接続するための他方の接続部１０Ａが一部の上部踏圧部５に設けられている。
下部踏圧部７は截頭戴円錐形状の筒部であり、その筒部の一部はその頂部７ａに固い支持部１３を嵌めるための溝７Ａが設けられ、図では平面視十字形の溝となっている。
また、他の頂部７ａは上部踏圧部５に設けた接続部１０Ａを嵌めるメス型の接続部１０Ｂとなっている。
人の踏圧がかかると上部踏圧部５の柔らかい支持部１２がたわみ、人の足にかかる反力を軽減できるようになっている。
また車などの重量物が通過する場合は、柔らかい支持部１２がたわむが、硬い支持部１３は下部踏圧部頂部に設けた溝１３に嵌まってその荷重を受けられるようになっている。
【００１９】
上記実施例も含め上部踏圧部５を連結する梁部９は上部踏圧部５頂部より一定の距離以上に定めることができる。
本植物保護資材１上で、スパイクなどを履いて運動をする場合、スパイクの刃が上記梁部９にかからないように、上部踏圧部５頂部から梁部９頂部間の距離（高さ方向の間隔）を調整することもできる。
【実施例５】
【００２０】
図５は実施例５の植物保護資材１の概念図である。
図５（ａ）は、上部枠２の平面および断面、図５（ｂ）は下部枠３の平面および断面、図５（ｃ）は上部枠２と下部枠３を接続した状態の断面を示す図である。
上部枠２と下部枠３との基本関係は前記実施例と変わらない。
上部枠２は弾性体で上部踏圧部は、下端が開放され上端が閉塞された袋状もしくは筒状の袋状踏圧部１４となっている。
袋状踏圧部１４は、踏圧により収縮し、そのたびに袋内の空気が押し出され、土壌中、芝などの植物に空気の供給と、空気の入れ替えを行う。
なお、図６は本実施例５の植物保護資材１を連結した状態を示す概念図である。
【実施例６】
【００２１】
図７は、実施例６の植物保護資材１を示す概念図である。
前記実施例３と同様に、正方形の区画枠体を下部枠３として用いた例であり、図７（ａ）は上部枠２の平面図および断面図であり、図７（ｂ）は下部枠３の平面図および断面図であり、図７（ｃ）は上部枠２を下部枠３に接続した状態を示す断面図である。
上部枠２は、下部枠３と比較して背の低い上端を閉鎖した筒状の袋状踏圧部１４間を梁部９で連結した形状であり、上部透孔部６は袋状踏圧部１４で囲まれた領域となる。
下部枠３は４角筒を連結した形状であり、それぞれの角筒の枠が下部踏圧部７に相当し、筒内が下部透孔部８に相当する。
【００２２】
上記植物保護資材１の一対の接続部１０Ａ、１０Ｂは、上部枠２の袋状踏圧部１４の下端に設けたオス継手１０Ａと、下部踏圧部７頂部に設けたメス継手１０Ｂからなる。
上部枠２の梁部９で上部枠２が下がることはなく、一対の接続部１０Ａ、１０Ｂで互いに継合しているため上方向に動くことはない。
スパイクを使用するような場所においては、袋状踏圧部１４をつなぐ梁部９はスパイクの刃の届かない高さに設けることは前述の植物保護資材１と同様である。
【００２３】
図７（ｂ）に示した連結部はオス継手１１ａとメス継手とからなっている。
即ち、下部枠３側面底部から突出する平板の先端に設けた突止具とその背後に設けた下部枠３側面から下方に舌状に突出す舌片からなるオス継手１１ａと、対応する下部枠３側面に設けた孔と当該孔内に存在する前記突止具を継合する孔を設けた平板からなるメス継手１１ｂからなる。
接続部、連結部とも本手段に限らず既存の方法が用いられる。
図８は本実施例６の植物保護資材１を縦横に連結した状態を示す概念図である。
【実施例７】
【００２４】
図９は、実施例７の植物保護資材１を示す概念図であり、上部枠２と下部枠３との関係は同じなため、上部枠２のみを示している。
図９（ａ）は、上部枠２を示し、図９（ｂ）は中間枠４を示し、図９（ｃ）は上部枠２と中間枠４を接続した状態の断面図である。
図に示すように、この実施例７では、上部枠２と中間枠４からなり、中間枠４はその格子の交点上に突状部１５を設け、上部枠２の袋状踏圧部１４内に挿入できるようにしたものである。
その結果、袋状踏圧部１４内部に突状部１５をその周囲および上部に空間を保ちながら設けられる。
踏圧により空気は突状部１５の側壁に沿って流れ、中間枠４の格子間より下方に流れる。
突状部１５が内部にあることにより、踏圧により袋状踏圧部１４が下方に押されても内部の突状部１５に邪魔されそれ以上下がることがない。
袋状踏圧部１４をつなぐ梁部９の位置と踏圧部１４が下がる位置との間の距離が、スパイクなどの刃の長さ以上に保てれば運動中スパイクが上部踏圧部の梁部９に引っかかり不測の転倒などによる事故、本植物保護材の上下部枠が分離したりする事故が防止できる。
【実施例８】
【００２５】
図１０は上記実施例７の上部枠２と中間枠４を一体化した実施例８を示し、その構成は実施例７に準ずるため省略する。
また、図示しないが、中間枠を使用せず、前記いずれかの実施例に用いた下部枠３の踏圧部７の頂部に前記実施例で説明した突状部１５を設け、上部踏圧部５内に挿入可能としておくことでも実現できる。
【００２６】
この発明では、前記実施例５〜８で説明した上部枠をそのまま植物保護資材１として使用することもできる。
人の踏圧を対象とする植物保護資材１では上部枠のみで十分踏圧を支えることが可能であり、踏圧に対する反力も軽減される。
上部枠を単独で植物保護資材１とする場合には、上部枠２相互を接続するための連結手段を設けておくことが好ましい(図示省略)。
【００２７】
本植物保護資材１の材質は、下部枠３はコンクリート製品あるいは射出成形可能なポリオレフィンなどで製造され上部枠２は人の踏圧を軽減するため射出成形可能なポリオレフィンなどで製造される。
本植物保護資材１では、上部枠２の材質は、踏圧により空気を供給するためゴムなどを含むエラストマー製が好ましい。
【００２８】
下部枠３を有する植物保護資材１の使用方法は、路盤上に下部枠３を連結敷設し、土壌を下部透孔部８に充填し、転圧し、芝生をほぐして撒き、上部枠２を接続して図１１に示すような状態となるよう芝の生長を待つ。あるいは転圧後、上部枠２を接続し、上部枠２の頂部まで土壌と芝の種を混合して充填し芝の成長を待つなど適宜実施することができる。
【図面の簡単な説明】
【００２９】
【図１（ａ）】実施例１の植物保護資材の上部枠の概念図であって、（ｉ）は平面図、（ｉｉ）は断面図である。
【図１（ｂ）】実施例１の植物保護資材の下部枠の概念図であって、（ｉ）は平面図、（ｉｉ）は断面図である。
【図１（ｃ）】実施例１の植物保護資材の上部枠と下部枠を接続した状態を示す断面図である。
【図２（ａ）】実施例２の植物保護資材の上部枠の概念図であって、（ｉ）は平面図、（ｉｉ）は断面図である。
【図２（ｂ）】実施例２の植物保護資材の下部枠の概念図であって、（ｉ）は平面図、（ｉｉ）は断面図である。
【図２（ｃ）】実施例２の植物保護資材の上部枠と下部枠を接続した状態を示す断面図である。
【図３（ａ）】実施例３の植物保護資材の上部枠の概念図であって、（ｉ）は平面図、（ｉｉ）は断面図である。
【図３（ｂ）】実施例３の植物保護資材の下部枠の概念図であって、（ｉ）は平面図、（ｉｉ）は断面図である。
【図３（ｃ）】実施例３の植物保護資材の上部枠と下部枠を接続した状態を示す断面図である。
【図４（ａ）】実施例４の植物保護資材の上部枠の要部を示す概念図であって、（ｉ）は平面図、（ｉｉ）は断面図である。
【図４（ｂ）】実施例４の植物保護資材の下部枠の要部を示す概念図であって、（ｉ）は断面図、（ｉｉ）は平面図である。
【図４（ｃ）】実施例４の植物保護資材の上部枠と下部枠を接続した状態の要部を示す断面図である。
【図５（ａ）】実施例５の植物保護資材の上部枠の概念図であって、（ｉ）は平面図、（ｉｉ）は断面図である。
【図５（ｂ）】実施例５の植物保護資材の下部枠の概念図であって、（ｉ）は平面図、（ｉｉ）は断面図である。
【図５（ｃ）】実施例５の植物保護資材の上部枠と下部枠を接続した状態を示す断面図である。
【図６】実施例５の植物保護資材を連結した状態を示す概念図であって、（ａ）は平面図、（ｂ）は断面図である。
【図７（ａ）】実施例６の植物保護資材の上部枠の概念図であって、（ｉ）は平面図、（ｉｉ）は断面図である。
【図７（ｂ）】実施例６の植物保護資材の下部枠の概念図であって、（ｉ）は平面図、（ｉｉ）は断面図である。
【図７（ｃ）】実施例６の植物保護資材の上部枠と下部枠を接続した状態を示す断面図である。
【図８】実施例６の植物保護資材を連結した状態を示す概念図であって、（ａ）は平面図、（ｂ）は断面図である。
【図９（ａ）】実施例７の植物保護資材の上部枠の概念図であって、（ｉ）は平面図、（ｉｉ）は断面図である。
【図９（ｂ）】実施例７の植物保護資材の中間枠の概念図であって、（ｉ）は平面図、（ｉｉ）は断面図である。
【図９（ｃ）】実施例７の植物保護資材の上部枠と中間枠を接続した状態を示す断面図である。
【図１０】実施例８の植物保護資材の上部枠と中間枠を一体に形成した状態を示す概念図の平面図である。
【図１１】芝生保護材を使用して芝が育成した状態を断面で示す概念図である。
【図１２（ａ）】従来の植物保護資材の一例を示す斜視図である。
【図１２（ｂ）】従来の植物保護資材の他の例を示す概念図であって、（ｉ）は下部枠の平面図、（ｉｉ）は断面図、（ｉｉｉ）は上部枠の平面図、（ｉｖ）は断面図、（ｖ）は上部枠と下部枠を接続した状態の断面図である。
【符号の説明】
【００３０】
１    植物保護資材
２    上部枠
３    下部枠
４    中間枠
５    上部踏圧部
６    上部透孔部
７    下部踏圧部
８    下部透孔部
９    梁部
９’  下部梁部
１０Ａ，１０Ｂ  一対の接続部
１１ａ  連結部の一方を示すオス継手
１１ｂ  連結部の他方を示すメス継手
１２    柔らかい支持部
１３    硬い支持部
１４    袋状踏圧部
１５    突状部
【手続補正３】
【補正対象書類名】図面
【補正対象項目名】全図
【補正方法】変更
【補正の内容】
【図１（ａ）】
2008035856.tif 000001
【図１（ｂ）】
2008035856.tif 000002
【図１（ｃ）】
2008035856.tif 000003
【図２（ａ）】
2008035856.tif 000004
【図２（ｂ）】
2008035856.tif 000005
【図２（ｃ）】
2008035856.tif 000006
【図３（ａ）】
2008035856.tif 000007
【図３（ｂ）】
2008035856.tif 000008
【図３（ｃ）】
2008035856.tif 000009
【図４（ａ）】
2008035856.tif 000010
【図４（ｂ）】
2008035856.tif 000011
【図４（ｃ）】
2008035856.tif 000012
【図５（ａ）】
2008035856.tif 000013
【図５（ｂ）】
2008035856.tif 000014
【図５（ｃ）】
2008035856.tif 000015
【図６】
2008035856.tif 000016
【図７（ａ）】
2008035856.tif 000017
【図７（ｂ）】
2008035856.tif 000018
【図７（ｃ）】
2008035856.tif 000019
【図８】
2008035856.tif 000020
【図９（ａ）】
2008035856.tif 000021
【図９（ｂ）】
2008035856.tif 000022
【図９（ｃ）】
2008035856.tif 000023
【図１０】
2008035856.tif 000024
【図１１】
2008035856.tif 000025
【図１２（ａ）】
2008035856.tif 000026
【図１２（ｂ）】
2008035856.tif 000027